(57)【要約】【課題】再復帰時間や試行回数などの動作条件を容易に変更することが可能なパワーコンディショナを得ること。【解決手段】本発明にかかるパワーコンディショナは、直流電力を交流電力に変換する電力変換部と、運転を停止する要因としての異常要因を検知した場合には電力変換部による電力変換動作を停止させ、再起動させて電力変換動作を再開させるかどうかを再起動許可条件に基づいて判断する運転制御部１１８と、設定済みの再起動許可条件を表示する表示部１１６と、表示部１１６に表示されている再起動許可条件を変更するための操作を受け付ける入力部１１５と、入力部１１５が受け付けた操作内容に基づいて再起動許可条件を更新する試行条件設定部１１３と、を備える。【選択図】図３
2015015821.tif 000002
【特許請求の範囲】
【請求項１】
直流電力を交流電力に変換する電力変換部と、
運転を停止する要因としての異常要因を検知した場合には前記電力変換部による電力変換動作を停止させ、再起動させて前記電力変換動作を再開させるかどうかを再起動許可条件に基づいて判断する運転制御部と、
設定済みの再起動許可条件を表示する表示部と、
前記表示部に表示されている再起動許可条件を変更するための操作を受け付ける入力部と、
前記入力部が受け付けた操作内容に基づいて再起動許可条件を更新する条件設定手段と、
を備えることを特徴とするパワーコンディショナ。
【請求項２】
複数存在する異常要因ごとに再起動許可条件が個別に設定されていることを特徴とする請求項１に記載のパワーコンディショナ。
【請求項３】
前記再起動許可条件は、対応する異常要因を検出して運転を停止した後に再起動を試行する回数の上限値であることを特徴とする請求項１または２に記載のパワーコンディショナ。
【請求項４】
前記再起動許可条件は、対応する異常要因を検出して運転を停止してから再起動を試行するまでの待機時間であることを特徴とする請求項１または２に記載のパワーコンディショナ。
【請求項５】
前記再起動許可条件は、対応する異常要因を検出して運転を停止した後に再起動を試行する回数の上限値、および、対応する異常要因を検出して運転を停止してから再起動を試行するまでの待機時間であることを特徴とする請求項１または２に記載のパワーコンディショナ。
【発明の詳細な説明】
【技術分野】
【０００１】
この発明は、太陽電池モジュールにより発電した直流電力を交流電力に変換するとともに、太陽光発電に関する異常を監視し、異常の有無により停止する機能を有するパワーコンディショナに関する。
【背景技術】
【０００２】
太陽電池モジュールにより発電した直流電力を交流電力に変換するパワーコンディショナとして、パワーコンディショナ及び交流電源系統の異常を検出してシステム停止及び系統解列動作を行うものが知られている（例えば特許文献１）。特許文献１に記載の発明においては、異常発生によりシステムが停止すると異常停止要因を判別し、異常要因ごとに予め設定された異常停止回数の上限および待機時間に従って再起動等を行う。すなわち、同一要因での停止回数が上限に達する前は、異常停止してから待機時間が経過した時点で再起動を行う。一方、同一要因での停止回数が上限に達した場合、アラームを出力する。この場合には待機時間が経過しても再起動しない。
【先行技術文献】
【特許文献】
【０００３】
【特許文献１】特開平８−１２６３３８号公報
【発明の概要】
【発明が解決しようとする課題】
【０００４】
上記のような従来のパワーコンディショナによれば、異常要因ごとに再復帰時間や再復帰の試行回数をあらかじめ設定でき、故障条件によりシステムの破損等の重故障に発展することを防ぐことができる。しかし、パワーコンディショナおよび交流電源系統の異常の発生は、パワーコンディショナが設置してある環境により影響する。たとえば、発生した異常がシステムの破損等に至らない異常要因であることが判明した場合で発生頻度が高い場合は、運転が停止している時間を少なくするため、再復帰時間を短くしたり、試行回数（停止回数の上限）を増やしたりすることが望まれる。また、前述の異常の原因が不明な場合は、現地にて原因を調査する場合がある。この場合は、逆に試行回数を減らし調査時に異常が再現しやすくなるようにしたい。このように、パワーコンディショナの設置条件により異常の発生頻度が高い場合や調査が必要な場合は、保護動作シーケンスを現地で変更し、再復帰時間や試行回数を変更する必要があった。このためには、パワーコンディショナのプログラムを現地で変更する等の処置が必要になる。この処置はプログラムを変更するため、専用の装置や専門の技術者による処置が必要になる等、容易に再復帰時間や試行回数を変更することができない等の課題があった。
【０００５】
本発明は、上記に鑑みてなされたものであって、再復帰時間や試行回数などの動作条件を容易に変更することが可能なパワーコンディショナを得ることを目的とする。
【課題を解決するための手段】
【０００６】
上述した課題を解決し、目的を達成するために、本発明は、直流電力を交流電力に変換する電力変換部と、運転を停止する要因としての異常要因を検知した場合には前記電力変換部による電力変換動作を停止させ、再起動させて前記電力変換動作を再開させるかどうかを再起動許可条件に基づいて判断する運転制御部と、設定済みの再起動許可条件を表示する表示部と、前記表示部に表示されている再起動許可条件を変更するための操作を受け付ける入力部と、前記入力部が受け付けた操作内容に基づいて再起動許可条件を更新する条件設定手段と、を備えることを特徴とする。
【発明の効果】
【０００７】
本発明によれば、再復帰時間や再復帰の試行回数などの再起動許可条件を容易に変更できるという効果を奏する。
【図面の簡単な説明】
【０００８】
【図１】図１は、本発明にかかるパワーコンディショナを含む太陽光発電システムの構成例を示す図である。
【図２】図２は、パワーコンディショナのブロック構成図である。
【図３】図３は、パワーコンディショナの試行回数や待機時間の設定に関連する機能ブロックの一例を示す図である。
【図４】図４は、パワーコンディショナが備えている表示装置の一例を示す図である。
【図５】図５は、パワーコンディショナが備えている操作部の一例を示す図である。
【図６】図６は、運転制御部による制御動作を示すフローチャートである。
【図７】図７は、試行回数設定動作時の表示例を示す図である。
【図８】図８は、復帰時間設定動作時の表示例を示す図である。
【発明を実施するための形態】
【０００９】
以下に、本発明にかかるパワーコンディショナの実施の形態を図面に基づいて詳細に説明する。なお、この実施の形態によりこの発明が限定されるものではない。
【００１０】
実施の形態．
図１は、本発明にかかるパワーコンディショナを含む太陽光発電システムの構成例を示す図である。
【００１１】
図１に示したように、太陽光発電システムは、太陽電池モジュール１、接続箱２およびパワーコンディショナ３を備え、太陽電池モジュール１の出力端とパワーコンディショナ３の入力端が接続箱２を介して接続されている。パワーコンディショナ３の出力端は分電盤４に接続されている。分電盤４には、パワーコンディショナ３の他に負荷５および交流電力系統（商用電源）６が接続されている。
【００１２】
このような構成の太陽光発電システムにおいて、太陽電池モジュール１によって発電された直流電力の出力は、接続箱２で集電された後、パワーコンディショナ３に入力される。パワーコンディショナ３は入力された直流電力を交流電力に変換して出力する。この交流電力出力は分電盤４を介して住宅内あるいは住宅外電気機器などの負荷５に供給されるとともに、交流電力系統６に接続（連系）され、負荷５で消費しきれずに余剰電力が発生した場合は逆潮流される。
【００１３】
また、交流電力系統６が停電等の場合に、パワーコンディショナ３を自立運転とすることにより、パワーコンディショナ３に設けられた交流出力コンセント（図示せず）より交流電力を出力する。
【００１４】
次に、パワーコンディショナ３の構成および動作について説明する。図２は、パワーコンディショナ３のブロック構成図である。図示したように、パワーコンディショナ３は、コンバータ７、インバータ８およびフィルタ回路９を含んで構成された電力変換部１０と、制御回路１１およびセンサ回路１２を含んで構成された制御部１３と、操作部１４と、表示装置１５と、を備える。
【００１５】
パワーコンディショナ３において、太陽電池モジュール１からの直流入力は、電力変換部１０のコンバータ７、インバータ８およびフィルタ回路９を経由し、交流出力に変換されて出力される。コンバータ７は、直流入力の電圧値を所定の電圧値に変換するＤＣ／ＤＣ変換機能を有する。インバータ８は、ＦＥＴやＩＧＢＴなどのスイッチング素子から構成されており、それらのスイッチング動作により直流電力を交流電力に変換する。フィルタ回路９は、リアクトルおよびコンデンサで構成されている。コンバータ７およびインバータ８は、制御回路１１からそれぞれ入力される指令信号に従って変換動作を行う。
【００１６】
制御回路１１は、演算手段としてのＣＰＵ１１ａや記憶手段としてのメモリ１１ｂなどを有し、コンバータ７およびインバータ８にＰＷＭ制御などによるスイッチング動作指令を出力する。また、計測手段としてのセンサ回路１２からの電圧測定値や電流測定値により、交流電力系統６の状態やパワーコンディショナ３の出力状態を監視するとともに、コンバータ７およびインバータ８の動作状態を監視し、それらの異常の有無を判定する。また、制御回路１１は、外部出力インタフェイスや外部入力インタフェイスを具備する。
【００１７】
操作部１４は、パワーコンディショナ３を起動、停止するための連系・停止・自立スイッチ（以下、運転スイッチと呼ぶ）、パワーコンディショナ３の保護レベル等の設定や異常要因ごとに再復帰時間や再復帰の試行回数の設定などを行う設定スイッチ等を有する。
【００１８】
表示装置１５は、パワーコンディショナ３の保護レベル等の設定内容や異常要因ごとの再復帰時間や再復帰の試行回数等を表示する。
【００１９】
上記構成のパワーコンディショナ３の動作概要を以下に述べる。まず、操作部１４において使用者により選択された運転モードや運転スイッチの状態（連系・停止・自立）が制御回路１１に送られる。制御回路１１は、運転スイッチがＯＮであり、かつ直流電力入力が所定値以上である場合にパワーコンディショナ３の起動条件が整っていると判断し、コンバータ７に対して入力された直流電力の電圧値を次段のインバータ８が必要とする電圧値に変換するように指令する。コンバータ７はその指令を受けて直流入力をＤＣ／ＤＣ変換し、所定の電圧値としてインバータ８に出力する。また、制御回路１１はインバータ８に対してスイッチング動作指令を出力する。インバータ８はその指令に従ってスイッチング動作を行い、コンバータ７から入力した直流電力を交流電力に変換する。この段階の交流電力はスイッチングによるリップル分を含んだ波形であるが、次段のフィルタ回路９により、波形整形され、滑らかな正弦波の交流電力として出力される。なお、このときのスイッチング動作指令は交流電力出力が負荷５や交流電力系統６に供給可能な電圧値および周波数値（例えば単相交流２００Ｖ、６０Ｈｚ）になるような指令値として出力される。
【００２０】
電力変換部１０から出力された交流電力はセンサ回路１２でその電圧値および電流値が測定されて、各測定値は制御回路１１に送られる。制御回路１１は、センサ回路１２による測定結果（電圧値および電流値）などに基づき、インバータ８へのフィードバック制御を行うとともに、電圧値および電流値から出力交流電力の値と出力周波数を演算する。
【００２１】
続いて、図３〜図８を参照しながらパワーコンディショナ３の試行回数や待機時間の設定について詳細に説明する。
【００２２】
図３は、パワーコンディショナ３の再起動許可条件である試行回数や待機時間の設定に関連する機能ブロックの一例を示す図である。パワーコンディショナ３は、試行回数や待機時間の設定を実現するために、図３に示した運転切替部１１１、設定切替部１１２、試行条件設定部１１３、整定値設定部１１４、入力部１１５、表示部１１６、設定値記憶部１１７、運転制御部１１８および外部入出力部１１９を備えている。運転制御部１１８は、異常判定部１１８ａおよび試行条件判定部１１８ｂを含んでいる。図３に示した各構成要素は、図２に示した制御部１３、操作部１４および表示装置１５により実現される。
【００２３】
運転切替部１１１は、パワーコンディショナ３の運転モードとして、連系、停止および自立のいずれかを選択させる。運転制御部１１８は、運転切替部１１１で選択されている運転モードに従い、電力変換部１０（図２参照）で生成した交流電力を交流電力系統６に出力する連系運転、交流電力系統６が停電等の場合の自立運転、および停止のいずれかに対応する制御をコンバータ７およびインバータ８に対して実施する。異常判定部１１８ａは、パワーコンディショナ３の出力状態（センサ回路１２による測定結果）を監視するとともに、コンバータ７およびインバータ８の動作状態を監視し、それらの異常の有無を判定する。異常発生を検出した場合、運転制御部１１８は、電力変換部１０における電力変換動作を停止させる（コンバータ７およびインバータ８に対する電力変換指示制御を停止する）。試行条件判定部１１８ｂは、異常判定部１１８ａにより異常が検出されると、設定値記憶部１１７に設定されている情報である試行回数や待機時間を確認し、検出された異常の発生回数が試行回数の設定値に達したかどうか、および、異常が検出されてからの経過時間が待機時間の設定値に達したかどうかを判定する。ここで、試行回数とは、ある異常が発生してパワーコンディショナ３が電力変換動作（電力変換部１０における電力変換動作）を停止してから所定時間経過後に再起動（電力変換動作を再開）した回数である。待機時間は、パワーコンディショナ３が異常発生を検出して電力変換動作を停止してからの経過時間である。設定値記憶部１１７に設定する試行回数および待機時間は、異常要因ごとに個別に設定できるようになっている。
【００２４】
設定切替部１１２は、パワーコンディショナ３の保護レベル等を設定する整定モード、異常要因ごとに再復帰時間（上記待機時間に相当）や再復帰の試行回数を設定する設定モード、および通常の運転状態とする通常モードのいずれかを選択させる。通常モードが選択された場合、パワーコンディショナ３は通常運転を行い、太陽電池モジュール１から入力された直流電力を交流電力に変換するための電力変換動作を実行する。通常モード以外では電力変換動作を実行しない。すなわち、整定モードまたは設定モードが選択された場合、設定切替部１１２は、運転を停止する動作を行うよう運転制御部１１８に指令する。
【００２５】
試行条件設定部１１３は、設定切替部１１２で設定モードが選択されたときに動作し、入力部１１５を介して外部から入力された内容に従い表示部１１６の表示を変化させ、異常要因ごとの試行回数と再復帰時間の設定を行う。この設定された値は、設定値記憶部１１７により記憶される。なお、具体的な設定方法は後述する。この試行条件設定部１１３は、条件設定手段として動作する。
【００２６】
整定値設定部１１４は、設定切替部１１２で整定モードが選択されたときに動作し、試行条件設定部１１３と同様に入力部１１５を介して入力された内容に従い表示部１１６の表示を変化させ、パワーコンディショナ３の保護レベル等の設定を行う。この設定された値は、設定値記憶部１１７により記憶される。
【００２７】
図４は、図２に示したパワーコンディショナ３が備えている表示装置１５の一例を示す図である。表示装置１５は、表示部１１６を構成しており、運転、異常、連系および自立の各状態をそれぞれ示す４つのランプ１５１、１５２、１５４および１５５を備えるとともに、数字や英字を７桁の７セグメントＬＥＤ等で表示する英数字表示部１５３を備える。
【００２８】
図５は、図２に示したパワーコンディショナ３が備えている操作部１４の一例を示す図である。操作部１４は、図３に示した運転切替部１１１を実現する運転切替スイッチ１４１と、図３に示した設定切替部１１２を実現する設定切替スイッチ１４２と、図３に示した入力部１１５を実現するスイッチとしての進むスイッチ１４３、決定スイッチ１４４および戻るスイッチ１４５と、を備える。
【００２９】
次に、運転制御部１１８の一部を構成する異常判定部１１８ａおよび試行条件判定部１１８ｂについて、図６を用いて説明する。図６は、運転制御部１１８による制御動作を示すフローチャートである。なお、運転切替部１１１（図３，図５参照）にて連系または自立が選択された場合に図６の処理を開始する。
【００３０】
パワーコンディショナ３において、運転切替部１１１が連系または自立を選択した場合、運転制御部１１８は、電力変換部１０が直流入力（直流電力）を交流出力（交流電力）に変換する運転状態となるよう、コンバータ７およびインバータ８を制御する（ステップＳ１）。
【００３１】
運転開始後、異常判定部１１８ａは、所定のタイミングで電力変換部１０の出力状態（センサ回路１２による測定結果）を監視するとともに、コンバータ７およびインバータ８の動作状態を監視し、それらの異常の有無を判定する（ステップＳ２）。異常なしと判定した場合（ステップＳ２：Ｎｏ）、ステップＳ１に戻り、運転（電力変換）と異常検知判定を継続する（ステップＳ１，Ｓ２）。異常判定部１１８ａで異常を検知した場合（ステップＳ２：Ｙｅｓ）には、運転制御部１１８は、電力変換部１０による変換動作を停止（システム停止）させるとともに系統解列（系統と切り離す動作）を行う（ステップＳ３）。また、異常判定部１１８ａでは異常停止内容（異常要因）を判別する（ステップＳ４）。そして、異常停止内容（異常要因Ａ，Ｂ，…，ｎ）を保持するとともに（ステップＳ５−１，Ｓ５−２，…，Ｓ５−ｎ）、判別結果が示す異常要因での試行回数が設定値Ｎ（ＮA，ＮB，…，Ｎn）に達したかどうかを判定する（ステップＳ６−１，Ｓ６−２，…，Ｓ６−ｎ）。ステップＳ５−１〜Ｓ５−ｎにおける異常停止内容の保持では、異常停止内容をメモリ１１ｂ（図２参照）の所定位置に格納する。異常要因での試行回数とは、運転を開始してからその異常要因で停止となり、再起動を実施した回数である。なお、設定値Ｎ（ＮA〜Ｎn）は、設定値記憶部１１７で記憶されており、運転を停止した状態でステップＳ１０を実行することにより変更が可能である。すなわち、設定値Ｎの変更は、試行条件設定部１１３が入力部１１５を介して外部から取得した値を設定値記憶部１１７に設定することにより行う。試行回数が設定値Ｎ未満の場合（ステップＳ６−１〜Ｓ６−ｎ：Ｎｏ）、さらに、上記のステップＳ２で異常を検出してからの経過時間が異常要因ごとの復帰時間Ｔ（ＴA，ＴB，…，Ｔn）以内かどうかを判定する（ステップＳ７−１，Ｓ７−２，…，Ｓ７−ｎ）。なお、復帰時間Ｔ（ＴA〜Ｔn）は、運転を停止した状態でステップＳ１１を実行することにより変更が可能である。復帰時間Ｔも設定値記憶部１１７で記憶されている。復帰時間Ｔの変更は、試行条件設定部１１３が入力部１１５を介して外部から取得した値を設定値記憶部１１７に設定することにより行う。経過時間が復帰時間Ｔを超過した場合（ステップＳ７−１〜Ｓ７−ｎ：Ｎｏ）、再起動準備を経て再起動し（ステップＳ８，Ｓ９）、ステップＳ１の運転状態に復帰する。これに対して、試行回数が設定値Ｎとなった場合（ステップＳ６−１〜Ｓ６−ｎ：Ｙｅｓ）、再起動を実施することなく、システムを完全に停止させる（ステップＳ１２）。また、該当する要因での停止が一定回数に達した（再起動をＮ回実施した後にさらに同じ要因で停止した）ことを例えば外部入出力部１１９経由で外部へ出力するとともに、該当する要因（異常停止内容）を表示装置１５（図４参照）に表示させる（ステップＳ１３，Ｓ１４）。
【００３２】
つづいて、試行条件設定部１１３による具体的な設定手順について図７および図８を参照しながら説明する。
【００３３】
設定切替スイッチ１４２（図５参照）が「設定」に切り替えられると、パワーコンディショナ３は試行条件の設定動作を開始する。具体的には、まず、試行条件の一つである試行回数の設定動作を開始する。すなわち、表示装置１５（図４参照）により構成されている表示部１１６が、異常要因Ａに対応付けて設定されている試行回数（設定値記憶部１１７で記憶されている異常要因Ａの試行回数）を図７の表示例に示すように「Ｅ０１＿０１」と表示する。この表示の「Ｅ０１」は、異常要因Ａを表し、「＿０１」は、設定されている試行回数ＮAを示す。この状態において、操作者により進むスイッチ１４３が押されると試行回数ＮAを＋１とし、表示が「＿０２」に更新される。進むスイッチ１４３が押されるごとに「＿０３」、「＿０４」、…のように回数を増加させる（表示部１１６の表示を更新する）。また、戻るスイッチ１４５が押されるごとに進むスイッチ１４３とは逆に試行回数ＮAを−１とする。
【００３４】
進むスイッチ１４３および戻るスイッチ１４５の操作により試行回数ＮAが所定回数（操作者が希望する回数）に調整された後、決定スイッチ１４４が押されると、試行条件設定部１１３は、表示部１１６に表示されている試行回数ＮAを異常要因Ａの新たな設定値として設定値記憶部１１７に通知し、記憶させる。また、表示部１１６は、表示内容を更新し、異常要因Ｂに対応付けて設定されている試行回数の表示（図７参照）を開始する。その後、上述した異常要因Ａの試行回数設定（変更）と同様の手順により、異常要因Ｂに対応付けられている試行回数の設定を変更する。同様にして、試行回数設定を異常要因ｎまで繰り返す。
【００３５】
最後の異常要因ｎの試行回数調整（表示部１１６に表示させている回数の変更）が行われた後、決定スイッチ１４４が押されると、試行条件設定部１１３は、表示部１１６に表示されている試行回数Ｎnを異常要因ｎの新たな設定値として設定値記憶部１１７に通知し、記憶させる。そして、試行条件の一つである復帰時間の設定動作を開始する。すなわち、表示部１１６が、異常要因Ａに対応付けて設定されている復帰時間を図８の例に示すように「Ｅ０１Ｔ＿１０」と表示する。この表示の「Ｅ０１Ｔ」は、異常要因Ａの復帰時間を示し、「＿１０」は、設定されている復帰時間（この場合は１０秒）を示す。以下、上述した試行回数の設定動作と同様に、進むスイッチ１４３、戻るスイッチ１４５および決定スイッチ１４４を用いて行われる操作に従い、異常要因ごとの復帰時間を設定する。
【００３６】
このように、試行条件の設定動作においては、試行条件設定部１１３が、入力部１１５（進むスイッチ１４３，決定スイッチ１４４，戻るスイッチ１４５）から入力された指示内容に応じて表示部１１６への表示内容を変更するなどして、設定値記憶部１１７に記憶されている設定値を変更する。
【００３７】
試行条件（試行回数，復帰時間）の設定が完了後、設定切替スイッチ１４２が「通常」に戻されると、パワーコンディショナ３は、運転切替スイッチ１４１の選択状態に応じた動作（連系運転、停止または自立運転）に復帰する。
【００３８】
なお、設定切替スイッチ１４２が「整定」に切り替えられた場合には、保護レベル等の設定を行う整定モードの動作が開始となる。この整定モードにおいては、整定値設定部１１４が、入力部１１５から入力された指示内容に応じて表示部１１６への表示内容を変更するなどして、設定値記憶部１１７に記憶されている設定値を変更する。整定モードにおける動作は、既に説明した試行条件の設定動作と同様であるため、詳細説明は省略する。
【００３９】
このように、本実施の形態のパワーコンディショナ３は、電力変換動作を行う通常動作モードと通常動作モード時の動作条件（試行条件）を設定するための設定動作モードとを切り替える設定切替部１１２と、設定動作モード中に、試行条件の変更のために操作を外部から受け付ける入力部１１５と、設定動作モード中に、各種試行条件の設定状態や調整状況などを表示する表示部１１６と、を備え、設定動作モードでは、通常動作モードにおける動作停止条件を異常要因ごとに個別に設定させるので、パワーコンディショナ３の異常要因ごとに再復帰時間（異常検出により停止してから再起動するまでの待機時間）や再復帰（再起動）の試行回数を容易に変更でき、パワーコンディショナ３のプログラムを現地で変更する等の処置が不要となる。すなわち、プログラムを変更することにより試行条件を最適化するための専用の装置や専門の技術者による処置を用いることなく、再復帰時間や再復帰の試行回数を容易に変更できる。
【００４０】
なお、本実施の形態では、パワーコンディショナ３に内蔵する表示装置１５および操作部１４により異常要因ごとに再復帰時間や再復帰の試行回数を変更する手段を実現したが、図２に示した制御回路１１にたとえばパーソナルコンピュータ（図示せず）と接続可能な外部入力および外部出力のインタフェイスを有する外部入出力部１１９を設けることにより、パーソナルコンピュータからの操作にて異常要因ごとに再復帰時間や再復帰の試行回数を変更するような構成としても構わない。
【００４１】
また、本実施の形態では、設定変更が可能な試行条件が試行回数および再復帰時間の場合について説明したが、試行回数および再復帰時間のいずれか一方を設定変更可能としても構わない。また、試行回数や再復帰時間以外のパラメータをさらに設定変更できるようにしても構わない。
【産業上の利用可能性】
【００４２】
以上のように、本発明にかかるパワーコンディショナは、異常検出後の動作条件を設定可能なパワーコンディショナとして有用である。
【符号の説明】
【００４３】
１  太陽電池モジュール、２  接続箱、３  パワーコンディショナ、４  分電盤、５  負荷、６  交流電力系統、７  コンバータ、８  インバータ、９  フィルタ回路、１０  電力変換部、１１  制御回路、１１ａ  ＣＰＵ、１１ｂ  メモリ、１２  センサ回路、１３  制御部、１４  操作部、１５  表示装置、１１１  運転切替部、１１２  設定切替部、１１３  試行条件設定部、１１４  整定値設定部、１１５  入力部、１１６  表示部、１１７  設定値記憶部、１１８  運転制御部、１１８ａ  異常判定部、１１８ｂ  試行条件判定部、１１９  外部入出力部、１４１  運転切替スイッチ、１４２  設定切替スイッチ、１４３  進むスイッチ、１４４  決定スイッチ、１４５  戻るスイッチ、１５１，１５２，１５４，１５５  ランプ、１５３  英数字表示部。
【図１】
2015015821.tif 000003
【図２】
2015015821.tif 000004
【図３】
2015015821.tif 000005
【図４】
2015015821.tif 000006
【図５】
2015015821.tif 000007
【図６】
2015015821.tif 000008
【図７】
2015015821.tif 000009
【図８】
2015015821.tif 000010